(57)【要約】【課題】効果的な販売促進をすることができる陳列棚システムを提供する。【解決手段】商品を載置可能な載置部５８１に設けられて裏面側からの投影画像を表示するスクリーン５２１と、プロジェクタ６０１が配置されるプロジェクタ設置部５７０と、プロジェクタ設置部５７０に配置されるプロジェクタ６０１が投影する画像をスクリーン５２１の裏面側に導く光学系５５１と、を有する陳列棚５０１と、プロジェクタ設置部５７０に配置されて入力された画像データに基づく画像を投影するプロジェクタ６０１と、人体８０１を検出して検出結果を出力するセンサ７０１と、情報処理部１３１が画像記憶領域１５１に記憶されている画像データをプロジェクタ６０１に入力し、センサ７０１からの出力に基づいて人体８０１と陳列棚５０１との間の距離を判定し、この距離に応じてプロジェクタ６０１に入力する画像データを切り替える表示制御装置２０１と、を備える。【選択図】図２
2008200256.tif 000002
【特許請求の範囲】
【請求項１】
商品を載置可能な載置部と、当該載置部に設けられて裏面側から投影された画像を表面に表示する透過型のスクリーンと、画像を投影するプロジェクタが配置されるプロジェクタ設置部と、当該プロジェクタ設置部に配置されるプロジェクタが投影する画像を前記スクリーンの裏面側に導く光学系と、を有する陳列棚と、
前記プロジェクタ設置部に配置されて、入力された画像データに基づく画像を投影するプロジェクタと、
人体の検出が可能であり検出結果を出力するセンサと、
情報処理を実行する情報処理部と、当該情報処理部が画像記憶領域に記憶されている画像データを前記プロジェクタに入力する手段と、前記情報処理部が前記センサからの出力に基づいて人体と前記陳列棚との間の距離を判定する手段と、前記情報処理部が当該距離に応じて前記プロジェクタに入力する画像データを切り替える切替処理を実行する手段と、を有する表示制御装置と、
を備える陳列棚システム。
【請求項２】
前記画像記憶領域には、前記陳列棚からの距離に対応付けて画像データが記憶され、
前記情報処理部は、前記センサからの出力に基づいて、前記陳列棚からの所定の距離に規定時間継続して人体が位置したか否かを判定し、前記陳列棚からの所定の距離に規定時間継続して人体が位置したと判定した場合、当該距離に対応する画像データを前記プロジェクタに入力することにより前記切替処理を実行する、
請求項１記載の陳列棚システム。
【請求項３】
前記情報処理部は、前記センサからの出力に基づいて複数の人体と前記陳列棚との間の距離を判定し、前記陳列棚に最も近い人体と当該陳列棚との間の距離に応じて前記切替処理を実行する、
請求項１記載の陳列棚システム。
【請求項４】
前記画像記憶領域には、前記陳列棚からの距離に対応付けて画像データが記憶され、
前記情報処理部は、前記センサからの出力に基づいて、前記陳列棚からの所定の距離に人体が位置して所定時間経過後にも当該距離に当該人体が位置したか否かを判定し、前記陳列棚からの所定の距離に人体が位置して所定時間経過後にも当該距離に当該人体が位置したと判定した場合、当該距離に対応する画像データを前記プロジェクタに入力することにより前記切替処理を実行する、
請求項１記載の陳列棚システム。
【請求項５】
前記表示制御装置は、
ユーザインターフェースと、
計時を実行するタイマ部と、
を備え、
前記情報処理部は、前記切替処理と前記タイマ部が計時する時間に応じて前記プロジェクタに入力する画像データを切り替える時間切替処理との選択を前記ユーザインターフェースを介して受け付けて、当該選択された方の処理を実行する、
請求項１ないし４のいずれか一記載の陳列棚システム。
【請求項６】
スピーカと、
前記情報処理部が、前記プロジェクタに入力する画像データの切り替えに際して切替音記憶領域に記憶された切替音データに基づく切替音を前記スピーカから出力させる手段と、
を備える請求項１ないし５のいずれか一記載の陳列棚システム。
【発明の詳細な説明】
【技術分野】
【０００１】
本発明は、陳列棚に設けられたスクリーンに画像を表示する陳列棚システムに関する。
【背景技術】
【０００２】
商品を陳列する陳列棚は、店舗（スーパーマーケット、コンビニエンスストア、ホームセンター、及びデパート等）の商品売場で広く用いられている。陳列棚には、陳列された商品に対応付けて棚札が付される。棚札は、対応する商品の価格やその他の情報を顧客に示すことを目的としている。
【０００３】
このような棚札として、電子棚札が開発されている（特許文献１参照）。電子棚札は、液晶パネルや有機ＥＬパネル等によって形成されている（例えば、特許文献１の段落０００８参照）。
【０００４】
ところで、販売促進のための広告媒体であるＰＯＰ広告（Ｐｏｉｎｔ  ｏｆ  Ｐｕｒｃｈａｓｅ）が従来から用いられている。ＰＯＰ広告によって陳列棚に陳列した商品を買物客に注目させることができる。特許文献２には、陳列棚の天壁にプロジェクタとこのプロジェクタからの投影画像を表示するスクリーンとを設けた陳列棚（特許文献２ではショーケース）が開示されている。これよれば、紙等の記録媒体に印刷されたＰＯＰ広告の取り付け作業を行うことなく、スクリーンに表示する画像によって、陳列棚に陳列された商品の販売促進をすることができる（特許文献２の段落００１８参照）。
【０００５】
【特許文献１】特開２００５−０９９８８８公報
【特許文献２】特開２００１−２４５７５６公報
【特許文献３】特開平６−１１０４２０号公報
【特許文献４】特開平１０−３２６３７１号公報
【発明の開示】
【発明が解決しようとする課題】
【０００６】
特許文献１に示されているような電子棚札は、価格面の問題から情報表示領域を広くとることが困難である。液晶パネルや有機ＥＬパネルの歩留まりの面からも、情報表示領域を広くとることが困難である。したがって、電子棚札の表示内容は、対応する商品の価格とその他の僅かな情報に留まる。このため、販売促進効果が期待できるＰＯＰ広告のような機能を電子棚札に持たせることは困難である。なお、特許文献１には、複数の薄型表示装置を横に連結して横長に形成することが開示されている（図８参照）。しかし、この場合には薄型表示装置同士の間に継ぎ目が生じてしまい、継ぎ目の部分には自然で綺麗な表示をすることは困難である。
【０００７】
そこで、特許文献２に示されているような陳列棚を採用する場合には、陳列棚の天壁に別途大きなスクリーンを取り付ける作業が必要となってしまう。また、店舗の形態によっては、取り付けたスクリーンのためのスペースを確保することは困難である。
【０００８】
なお、特許文献３及び特許文献４は、センサによって検出された人体との間の距離に応じて表示画像を切り替えるという観点で行った特許調査により見出された文献である。もっとも、特許文献３に記載された技術は、人体との距離に応じて同一の表示画像を変倍するようにしたものであり、また、特許文献４に記載された技術は、人体との距離に応じて装置を操作可能にする操作画面を表示するようにしたものであり、ともに販売促進を行うことを目的とするものではない。
【０００９】
本発明の目的は、効果的な販売促進をすることができる陳列棚システムを提供することである。
【課題を解決するための手段】
【００１０】
本発明の陳列棚システムは、商品を載置可能な載置部と、当該載置部に設けられて裏面側から投影された画像を表面に表示する透過型のスクリーンと、画像を投影するプロジェクタが配置されるプロジェクタ設置部と、当該プロジェクタ設置部に配置されるプロジェクタが投影する画像を前記スクリーンの裏面側に導く光学系と、を有する陳列棚と、前記プロジェクタ設置部に配置されて、入力された画像データに基づく画像を投影するプロジェクタと、人体の検出が可能であり検出結果を出力するセンサと、情報処理を実行する情報処理部と、当該情報処理部が画像記憶領域に記憶されている画像データを前記プロジェクタに入力する手段と、前記情報処理部が前記センサからの出力に基づいて人体と前記陳列棚との間の距離を判定する手段と、前記情報処理部が当該距離に応じて前記プロジェクタに入力する画像データを切り替える切替処理を実行する手段と、を有する表示制御装置と、を備える。
【発明の効果】
【００１１】
本発明によれば、例えば、買物客と陳列棚との距離が遠い場合には買物客の注意を陳列棚に向けさせて足止めさせるような画像を、距離が中程度の場合には買物客が商品の購入検討をできるような画像を、距離が近い場合には買物客の商品購入の決定を後押しするような画像をスクリーンに表示させることができる。したがって、効果的な販売促進を行うことができる。
【発明を実施するための最良の形態】
【００１２】
本発明の第１の実施の形態について図１ないし図９に基づいて説明する。
【００１３】
図１は、本発明の第１の実施の形態の陳列棚システム１０１を示す斜視図である。陳列棚システム１０１は、スーパーマーケット等の店舗に導入されている。陳列棚システム１０１は、店舗の床面１１１に設置された陳列棚５０１を有する。陳列棚５０１には、商品を載置可能な載置部５８１が設けられている。陳列棚５０１の内部にはプロジェクタ６０１（図２参照）が配置されている。また、陳列棚システム１０１は、店舗のバックヤードに設置された表示制御装置２０１を有する。表示制御装置２０１は、コンピュータで構成されている。店舗に複数の陳列棚５０１が配置される場合には、一台の表示制御装置２０１に対して複数の陳列棚５０１が接続される。
【００１４】
図２は、表示制御装置２０１をブロック図として模式的に付加して陳列棚５０１を概略的に示す断面図である。陳列棚５０１は、下部前板５０２、底板５０３、背板５０４、及び天板５０５を備えている。下部前板５０２、底板５０３、背板５０４、及び天板５０５は、２枚の側板５０６ａと側板５０６ｂ（図１参照）とに挟まれて位置固定されている。
【００１５】
下部前板５０２の上側には、載置部５８１の最下段部分を形成する棚板５１１が設けられている。棚板５１１の上方位置には載置部５８１の第２段部分を形成する棚板５１２が設けられている。棚板５１２の上方位置には載置部５８１の第３段部分を形成する棚板５１３が設けられている。棚板５１１、棚板５１２、及び棚板５１３は、側板５０６ａと側板５０６ｂに挟まれて水平に固定されている。
【００１６】
棚板５１１、棚板５１２、及び棚板５１３の上方には、それぞれ、スクリーン５２１ａ、スクリーン５２１ｂ、及びスクリーン５２１ｃが設けられている。上部に位置する２つの棚板５１２と棚板５１３との背部にも、スクリーン５２１ｄとスクリーン５２１ｅとが設けられている。以下、スクリーン５２１ａ、スクリーン５２１ｂ、スクリーン５２１ｃ、スクリーン５２１ｄ、及びスクリーン５２１ｅを併せてスクリーン５２１と称することがある。このようにして、載置部５８１にスクリーン５２１が設けられている。スクリーン５２１は、一例として、透明なアクリル板と、このアクリル板の裏面側に貼付された乳白色のスクリーン部材と、によって構成されている。スクリーン部材は、裏面から投影された像を前面から視認できる透過型のものである。スクリーン５２１ａとスクリーン５２１ｂとは、棚板５１２と棚板５１３とに固定されると共に側板５０６ａと側板５０６ｂとに固定されている。スクリーン５２１ｃは、天板５０５の前端に固定されると共に側板５０６ａと側板５０６ｂとに固定されている。
【００１７】
棚板５１１の奥側端部には、棚板５１１によって形成される載置部５８１の奥行きを規定する奥板５３１が固定されている。奥板５３１、スクリーン５２１ｄ、及びスクリーン５２１ｅの最上部からは、棚板５１１、棚板５１２、及び棚板５１３の設置方向に沿って天井板５４１、天井板５４２、及び天井板５４３が設けられている。天井板５４１と天井板５４２とは、棚板５１１と棚板５１２とに平行に設けられている。天井板５４３は、スクリーン５２１ｃへ投影される画像を遮らないように所定の傾きをもって設けられている。天井板５４１、天井板５４２、及び天井板５４３は、それぞれ、前端がスクリーン５２１ａ、スクリーン５２１ｂ、及びスクリーン５２１ｃの下端に接続されている。
【００１８】
スクリーン５２１ａと天井板５４１と棚板５１２とによって囲まれた領域には、スクリーン５２１ａに投影される画像が水平方向に投影される段部画像投影空間５６１が形成されている。スクリーン５２１ｂと天井板５４２と棚板５１３とによって囲まれた領域には、段部画像投影空間５６２が形成されている。スクリーン５２１ｃと天井板５４３と天板５０５とによって囲まれた領域には、段部画像投影空間５６３が形成されている。
【００１９】
天井板５４１、天井板５４２、及び天井板５４３を設けることによって、段部画像投影空間５６１、段部画像投影空間５６２、及び段部画像投影空間５６３の下部は覆われ、棚板５１１、棚板５１２、及び棚板５１３に配置される商品が段部画像投影空間５６１、段部画像投影空間５６２、段部画像投影空間５６３の内に入り込むのが防止され、商品によりプロジェクタ投影像に影ができるのを防止できる。
【００２０】
陳列棚５０１の下部前板５０２と背板５０４との間には、プロジェクタ６０１を配置するための配置空間５６４が形成されている。奥板５３１とスクリーン５２１ｄとスクリーン５２１ｅと背板５０４との間には、プロジェクタ画像の奥側画像投影空間５６５が形成されている。配置空間５６４に配置されたプロジェクタ６０１は、底板５０３上に配置されたプロジェクタ設置部としてのプロジェクタ設置台５７０に設置されている。プロジェクタ設置台５７０は、プロジェクタ６０１の光学軸が鉛直線に対して所定の角度だけ傾くように配置するものであり、所定の設置部５７１を形成して構成されている。
【００２１】
奥側画像投影空間５６５には、プロジェクタ６０１からの投影光を反射して５枚のスクリーン５２１の裏面側に導く光学系としての平面鏡５５１ａ、平面鏡５５１ｂ、及び平面鏡５５１ｃが設けられている。以下、平面鏡５５１ａ、平面鏡５５１ｂ、及び平面鏡５５１ｃを併せて平面鏡５５１と称することがある。平面鏡５５１は、図２に示すように、側板５０６ａと側板５０６ｂに両端を固定されている。
【００２２】
プロジェクタ６０１は、内蔵された液晶表示装置（図示せず）等に表示される１画面で構成された画像をスクリーン５２１に向けて投影する。この１画面の画像は、平面鏡５５１ａによってスクリーン５２１ａに、平面鏡５５１ｂによってスクリーン５２１ｂ及びスクリーン５２１ｄに、平面鏡５５１ｃによってスクリーン５２１ｃ及びスクリーン５２１ｅに投影される。プロジェクタ６０１は、プロジェクタ６０１からの投影光がスクリーン５２１ａ、スクリーン５２１ｂ、及びスクリーン５２１ｃに合焦した像を結像するように位置が決定される。
【００２３】
天井板５４２には、センサ７０１が取り付けられている。センサ７０１は、一例として超音波センサである。超音波センサであるセンサ７０１は、送波器（図示せず）と受波器（図示せず）とを有する。センサ７０１は、送波器から超音波を対象物である人体８０１に向けて発信してその反射波を受波器で受信することにより、人体８０１の検出が可能となっている。また、センサ７０１は検出結果を連続的に出力する。表示制御装置２０１の表示制御部１３１は出力された検出結果を受信する。センサ７０１は、図１に示すように、陳列棚５０１の左右の位置に二つ設けられている。陳列棚５０１を正面から見て左側に位置するセンサ７０１をセンサ７０１ａと称し、右側に位置するセンサ７０１をセンサ７０１ｂと称する。
【００２４】
背板５０４には、スピーカ７０２が取り付けられている。スピーカ７０２は、音データが入力され、入力された音データに基づく音を出力する。
【００２５】
表示制御装置２０１は、モニタ部２１１、入力部２１２、表示制御部１３１、及び通信装置１３５を有する。さらに、表示制御装置２０１は、画像記憶領域１５１と切替音記憶領域１５５とを有する。画像記憶領域１５１には、１画面からなる画像の画像データが記憶されている。表示制御部１３１は、画像記憶領域１５１に記憶された画像データをプロジェクタ６０１に入力する。プロジェクタ６０１は入力された画像データに基づく１画面からなる画像を投影する。切替音記憶領域１５５には、音データである切替音データが記憶されている。表示制御部１３１は、画像データのプロジェクタ６０１への入力に際して、切替音記憶領域１５５に記憶された切替音データをスピーカ７０２に入力する。スピーカ７０２は、入力された切替音データに基づく切替音を出力する。
【００２６】
図３は、表示制御装置２０１のハードウェア構成を示すブロック図である。表示制御装置２０１は、情報処理を実行する情報処理部としての表示制御部１３１を有する。表示制御部１３１は、各種演算処理を実行するＣＰＵ１４１を主体に構成されている。ＣＰＵ１４１には、ＢＩＯＳ等の固定データを固定的に記憶するＲＯＭ１４２と、各種可変データを書き替え自在に記憶してワークエリアとして使用されるＲＡＭ１４３とがバスライン１４４を介して接続されている。表示制御部１３１には、ＨＤＤ１４５とＣＤ−ＲＯＭドライブ１４６とが接続されている。ＣＤ−ＲＯＭドライブ１４６は、ＣＤ−ＲＯＭ１４７に記憶されたＯＳ（オペレーティングシステム）や各種のアプリケーションプログラム等の情報を読み取る。読み取られた情報は、ＨＤＤ１４５にインストール可能となっている。ＨＤＤ１４５には、画像記憶領域１５１と切替音記憶領域１５５とが設けられている。
【００２７】
表示制御部１３１には、ユーザインターフェースとしてのモニタ部２１１及び入力部２１２が接続されている。モニタ部２１１は、表示制御部１３１の制御によりその画面に画像が表示される（図５参照）。モニタ部２１１は、一例として、液晶画面等を備えるディスプレイである。入力部２１２は、表示制御部１３１に対して入力を実行するためのものである。入力部２１２は、キーボード２１３及びポインティングデバイスであるマウス２１４を含む。また、表示制御部１３１には、外部機器インターフェース１４９を介してセンサ７０１が接続され、外部機器インターフェース１５０を介してスピーカ７０２が接続されている。
【００２８】
表示制御部１３１は、通信インターフェース１４８を介して外部ネットワーク９０１に接続されている。表示制御部１３１は、外部ネットワーク９０１を通じて各種情報を取得することができる。
【００２９】
表示制御部１３１には、通信装置１３５が接続されている。通信装置１３５は、陳列棚５０１に設置されたプロジェクタ６０１と接続されている。したがって、プロジェクタ６０１には、受信装置（図示せず）と画像データ保持用の記憶部（図示せず）とが設けられている。通信装置１３５は、プロジェクタ６０１が有する受信装置との間の通信を可能とするプロトコルをサポートしている。表示制御部１３１は、画像記憶領域１５１に記憶されている画像データを通信装置１３５を介してプロジェクタ６０１に入力する。
【００３０】
図４は、画像記憶領域１５１のデータ構成を示す模式図である。ＨＤＤ１４５（図３参照）に設けられた画像記憶領域１５１には１画面で構成される画像の画像データが複数記憶されている。画像データは、静止画のデータに限られず動画像のデータをも含む。ところで、後述するように、表示制御部１３１は、センサ７０１からの検出結果の出力に基づいて、陳列棚５０１からの所定の距離範囲である検出範囲Ｄ（図２参照）における人体８０１と陳列棚５０１との間の距離を判定する。また、表示制御部１３１は、検出範囲Ｄを陳列棚５０１からの距離が近い順に検出範囲Ｄａ、検出範囲Ｄｂ、検出範囲Ｄｃ、及び検出範囲Ｄｄに区分する。画像データは、区分された複数の検出範囲Ｄに対応付けられて画像記憶領域１５１に記憶されている。
【００３１】
画像データに基づく画像の内容について、その一例を説明する。陳列棚５０１からの距離が遠い検出範囲Ｄｃ及び検出範囲Ｄｄに対応する画像データｃ及び画像データｄに基づく画像は、陳列棚５０１に陳列された商品についての商品テーマや季節のイメージ等をその内容としている。陳列棚５０１の前を素通りしようとする買物客の注意を陳列棚５０１に向けさせて、買物客を陳列棚５０１の前に引き止めさせるためのものである。検出範囲Ｄｂに対応する画像データｂに基づく画像は、陳列棚５０１に陳列された商品同士の比較情報等をその内容としている。陳列棚５０１の前で足を止めた買物客が陳列棚５０１に陳列された商品について購入検討をできるようにするためのものである。陳列棚５０１から距離が最も近い検出範囲Ｄａに対応する画像データａに基づく画像は、陳列棚５０１に陳列された商品のお買い得情報や詳細情報等をその内容とする。商品の購入を検討している買物客の商品購入の決定を後押しするためのものである。
【００３２】
図５は、モニタ部２１１の画面表示例を示す模式図である。モニタ部２１１の画面には、画像２２１が表示されている。画像２２１は、表示制御部１３１がプロジェクタ６０１に入力している画像データに基づく画像と同じものである。例えば、プロジェクタ６０１に画像データｂが入力されていれば、モニタ部２１１の画面にも画像データｂに基づく画像が表示されていることになる。画像２２１の領域２２１ａの部分がスクリーン５２１ａ（図１参照）に投影される。同様に、領域２２１ｂの部分がスクリーン５２１ｂに、領域２２１ｃの部分がスクリーン５２１ｃに、領域２２１ｄの部分がスクリーン５２１ｄに、領域２２１ｅの部分がスクリーン５２１ｅにそれぞれ投影されている。なお、図５の画面表示例では、領域２２１ｄ及び領域２２１ｅには何ら表示が与えられていない。
【００３３】
次に、表示制御装置２０１の表示制御部１３１が実行する処理について説明する。表示制御部１３１は、センサ７０１からの検出結果の出力に基づいて、人体８０１が陳列棚５０１からの所定の距離範囲である検出範囲Ｄ（図２参照）に位置すると判定する。また、表示制御部１３１は、センサ７０１ａとセンサ７０１ｂとの出力に基づいて、複数の人体８０１が検出範囲Ｄに位置すると判定する。さらに、表示制御部１３１は、人体８０１が検出範囲Ｄに位置する時間を測定し、例えば、所定の検出範囲Ｄに規定時間継続して人体８０１が位置したか否か、所定の検出範囲Ｄに人体８０１が位置して所定時間経過後にも同じ検出範囲Ｄにその人体８０１が位置したか否か等を判定する。
【００３４】
図６は、人体８０１と陳列棚５０１との間の距離と時間経過との関係を示すグラフである。図６に示すグラフは、センサ７０１からの出力に基づくものである。図６中、縦軸は陳列棚５０１からの距離を示す。縦軸の下から上に向かうに従い陳列棚５０１からの距離が遠くなる。表示制御部１３１は、検出範囲Ｄを、陳列棚５０１からの距離に応じて陳列棚５０１からの距離が近い順に検出範囲Ｄａ、検出範囲Ｄｂ、検出範囲Ｄｃ、及び検出範囲Ｄｄに区分する。なお、本実施の形態では、センサ７０１からの距離を陳列棚５０１からの距離としている。図６中、横軸は任意の時点からの時間経過を示す。横軸の左から右に向かうに従い時間が経過する。
【００３５】
図６（ａ）は、センサ７０１ａからの出力に基づくグラフである。グラフＧ１とグラフＧ２とは、共にセンサ７０１ａからの出力によるものである。グラフＧ１とグラフＧ２とは、同じ時間の流れにおける出力に基づくものではない。つまり、異なる時間の流れにおけるセンサ７０１ａからの出力を、同じグラフに示したものである。
【００３６】
グラフＧ１によれば、人体８０１は、時間の経過と共に陳列棚５０１に近づき、一度、陳列棚５０１から離れた後に再び陳列棚５０１に接近して、そのまま陳列棚５０１に接近した場所に位置し続けていることがわかる。これは、陳列棚５０１の近くに来た買物客が陳列棚５０１に関心を抱いて、徐々に陳列棚５０１に接近したような場合であると考えられる。
【００３７】
グラフＧ２によれば、人体８０１は陳列棚５０１に急に接近した後すぐに陳列棚５０１から離れていることがわかる。これは、買物客が陳列棚５０１に何らかの理由で近づいたものの陳列棚５０１に関心がなく、陳列棚５０１から離れるようにして店舗内の移動を続けたような場合であると考えられる。
【００３８】
図６（ｂ）は、センサ７０１ａとセンサ７０１ｂとからの出力に基づくグラフである。グラフＧ３は、センサ７０１ａからの出力によるものである。グラフＧ４は、センサ７０１ｂからの出力によるものである。つまり、同じ時間の流れの中で検出範囲Ｄに２体の人体８０１が位置している。
【００３９】
グラフＧ３によれば、図６（ａ）のグラフＧ１と同様に、人体８０１は、時間の経過と共に陳列棚５０１に近づき、一度、陳列棚５０１から離れた後に再び陳列棚５０１に接近して、そのまま陳列棚５０１に接近した場所に位置し続けていることがわかる。
【００４０】
グラフＧ４によれば、人体８０１は、陳列棚５０１に接近し、しばらく陳列棚５０１に接近した場所に位置し続けた後、次第に陳列棚５０１から離れていることがわかる。これは、陳列棚５０１に接近した買物客がスクリーン５２１の画像を見たり商品を検討したりする等の用事を済ませて陳列棚５０１から離れたような場合であると考えられる。
【００４１】
また、図６（ｂ）によれば、時点Ｔｂまでは、センサ７０１ｂが検出する人体８０１（グラフＧ４参照）の方が陳列棚５０１に近い検出範囲Ｄに位置しているのに対して、時点Ｔｂの後は、センサ７０１ａが検出する人体８０１（グラフＧ３参照）の方が、陳列棚５０１に近い検出範囲Ｄに位置していることがわかる。
【００４２】
次に、表示制御部１３１が実行する切替処理について図６に示したグラフ及び図７ないし図９に示すフローチャートに基づき説明する。
【００４３】
図７は、切替処理の一例を示すフローチャートである。図７に基づいて説明する切替処理は、陳列棚５０１に設けられた一方のセンサ７０１ａのみが検出範囲Ｄに人体８０１を検出した場合の切替処理である。表示制御部１３１が任意の検出範囲Ｄに人体８０１が規定時間Ｔｒ（図６参照）継続して位置したと判定した場合（Ｓ１０１のＹ）、表示制御部１３１は、この人体８０１が位置する検出範囲Ｄに対応する画像データをプロジェクタ６０１に入力する（Ｓ１０２）。プロジェクタ６０１への入力に伴い、表示制御部１３１は画像データをモニタ部２１１にも入力する。入力された画像データに基づく画像はモニタ部２１１の画面に表示される（図５参照）。次に、表示制御部１３１は、切替音記憶領域１５５に記憶された切替音データをスピーカ７０２に入力して、この切替音データに基づく切替音をスピーカ７０２から出力させる（Ｓ１０３）。表示制御部１３１が任意の検出範囲Ｄに人体８０１が規定時間Ｔｒ継続して位置したと判定しない場合には（Ｓ１０１のＮ）、表示制御部１３１は、画像データをプロジェクタ６０１に入力しない。つまり、スクリーン５２１の画像の切り替えは実行されない。
【００４４】
図６（ａ）のグラフＧ１によれば、時間帯Ｔ１では、検出範囲Ｄｃに人体８０１が規定時間Ｔｒ継続して位置している。したがって、表示制御部１３１は、検出範囲Ｄｃに対応する画像データ（画像データｃ）をプロジェクタ６０１に入力する。一方、グラフＧ２によれば、同じ時間帯Ｔ１では、いずれの検出範囲Ｄにも人体８０１は規定時間Ｔｒ継続して位置していない。したがって、表示制御部１３１は、プロジェクタ６０１に入力する画像データの切り替えを実行しない。
【００４５】
こうして、スクリーン５２１に表示される画像についての不用意な切り替えを防止することができる。
【００４６】
図８は、切替処理の別の一例を示すフローチャートである。図８に基づいて説明する切替処理は、陳列棚５０１に設けられたセンサ７０１の両方（センサ７０１ａ、センサ７０１ｂ）が検出範囲Ｄに人体８０１を検出した場合の切替処理である。いずれか一方のセンサ７０１のみが人体８０１を検出することにより、表示制御部１３１が任意の検出範囲Ｄに一体の人体８０１が規定時間Ｔｒ（図６参照）継続して位置したと判定した場合（Ｓ２０１のＹ）、表示制御部１３１は、この人体８０１が位置する検出範囲Ｄに対応する画像データをプロジェクタ６０１に入力し（Ｓ２０２）、切替音データをスピーカ７０２に入力して切替音をスピーカ７０２から出力させる（Ｓ２０３）。
【００４７】
両方のセンサ７０１が人体８０１を検出することにより、一体の人体８０１ではなく（Ｓ２０１のＮ）、二体の人体８０１がそれぞれ任意の検出範囲Ｄに規定時間Ｔｒ継続して位置したと表示制御部１３１が判定した場合（Ｓ２０４のＹ）、陳列棚５０１により近い検出範囲Ｄに対応する画像データをプロジェクタ６０１に入力し（Ｓ２０５）、切替音データをスピーカ７０２に入力してスピーカ７０２から切替音を出力させる（Ｓ２０６）。
【００４８】
図６（ｂ）を見ると、時間帯Ｔ３では、検出範囲Ｄｃに人体８０１が規定時間Ｔｒ継続して位置し（グラフＧ３）、検出範囲Ｄａに別の人体８０１が規定時間Ｔｒ継続して位置している（グラフＧ４）。したがって、表示制御部１３１は、陳列棚５０１により近い検出範囲Ｄａに対応する画像データ（画像データａ）をプロジェクタ６０１に入力する。また、時間帯Ｔ５では、検出範囲Ｄｄに人体８０１が規定時間Ｔｒ継続して位置し（グラフＧ４）、検出範囲Ｄａに別の人体８０１が規定時間Ｔｒ継続して位置している（グラフＧ３）。したがって、表示制御部１３１は、陳列棚５０１により近い検出範囲Ｄａに対応する画像データ（画像データａ）をプロジェクタ６０１に入力する。なお、時間帯Ｔ３と時間帯Ｔ５との間の時間帯Ｔ４では、いずれの人体８０１も規定時間Ｔｒ継続して検出範囲Ｄに位置していない（グラフＧ３、グラフＧ４）。したがって、表示制御部１３１は、プロジェクタ６０１に入力する画像データの切り替えを実行しない。
【００４９】
これによれば、複数の買物客の中で最も陳列棚５０１に近い買物客の検出範囲Ｄに対応する画像がスクリーン５２１に表示されるため、陳列棚５０１に陳列された商品に対する購入意欲のより高い買物客に対して販売促進を行える確率が高まり、販売促進効果も高まる。
【００５０】
図９は、切替処理のさらに別の一例を示すフローチャートである。図９に基づいて説明する切替処理は、陳列棚５０１に設けられた一方のセンサ７０１ａのみが検出範囲Ｄに人体８０１を検出した場合の切替処理である。任意の検出範囲Ｄに人体８０１が位置して所定の時間Ｔｍ（図６（ａ）参照）経過後にも同じ検出範囲Ｄにこの人体８０１が位置したと表示制御部１３１が判定した場合（Ｓ３０１のＹ）、表示制御部１３１は、人体８０１が位置する検出範囲Ｄに対応する画像データをプロジェクタ６０１に入力し（Ｓ３０２）、切替音データをスピーカ７０２に入力して切替音をスピーカ７０２から出力させる（Ｓ３０３）。
【００５１】
例えば、図６（ａ）のグラフＧ１を見ると、人体８０１は、時間帯Ｔ２の開始時点で検出範囲Ｄａに位置した後、一度、陳列棚５０１から離れているものの、この開始時点から時間Ｔｍ経過後の時点では再び検出範囲Ｄａに位置している。したがって、表示制御部１３１は、時間帯Ｔ２では、検出範囲Ｄｂ、検出範囲Ｄｃ、及び検出範囲Ｄｄに対応する画像への切り替えを実行せず、時間Ｔｍの経過後に、検出範囲Ｄａに対応する画像データ（画像データａ）をプロジェクタ６０１に入力する。
【００５２】
これによれば、陳列棚５０１を見ている買物客の位置移動によってプロジェクタ６０１がスクリーン５２１に投影する画像が忙しく切り替わってしまい、その買物客にとってスクリーン５２１に表示された画像が見づらいような状況を回避することができる。
【００５３】
以上説明したように本実施の形態によれば、例えば、買物客と陳列棚５０１との距離が遠い場合には買物客の注意を陳列棚５０１に向けさせて足止めさせるような画像を、買物客と陳列棚５０１との距離が中程度の場合には買物客が陳列棚５０１に陳列された商品の購入検討をできるような画像を、そして、買物客と陳列棚５０１との距離が近い場合には買物客の商品購入の決定を後押しするような画像をスクリーン５２１に表示させることができる。したがって、効果的な販売促進を行うことができる。
【００５４】
次に、本発明の第２の実施の形態について図１０ないし図１４に基づいて説明する。図１ないし図９に基づいて説明した第１の実施の形態と同一の部分は同一の符号で示し説明も省略する。
【００５５】
図１０は、本発明の第２の実施の形態における表示制御装置２０１をブロック図として模式的に付加して陳列棚５０１を概略的に示す断面図である。本実施の形態の表示制御装置２０１は、計時を実行するタイマ部１６１を有する。表示制御部１３１は、第１の実施の形態で説明したような陳列棚５０１と人体８０１との距離に応じてプロジェクタ６０１に入力する画像データを切り替える切替処理を実行するモード（距離切替モード）と、タイマ部１６１が計時する時間に応じてプロジェクタ６０１に入力する画像データを切り替える時間切替処理を実行するモード（時間切替モード）との選択を受け付ける。表示制御部１３１は、選択されたモードでの切替処理を実行する。
【００５６】
図１１は、第２の実施の形態におけるモニタ部２１１の画面表示例を示す模式図である。本実施の形態では、モニタ部２１１には、画像２２１の他、距離切替モードを選択するためのボタン２４２と時間切替モードを選択するためのボタン２４３とが表示されたボタン表示領域２４１が表示されている。マウス２１４を操作してモニタ部２１１の画面内のカーソル（図示せず）をボタン２４２又はボタン２４３の上に移動させてマウス２１４のクリックを行うことにより、各モードの選択が実行される。このようにして、表示制御部１３１は、各モードの選択を受け付ける。
【００５７】
図１２は、第２の実施の形態における画像記憶領域１５１のデータ構成を示す模式図である。本実施の形態の画像記憶領域１５１には、複数の画像データが記憶されている他、表示スケジュールが記憶された表示スケジュール記憶領域１５２が設けられている。
【００５８】
図１３は、表示スケジュールのデータ構成の一例を示す模式図である。表示スケジュールは、時間の経過に応じて、画像記憶領域１５１に記憶された複数の画像データのいずれをプロジェクタ６０１に入力するかについて規定する。例えば、表示スケジュールは、タイマ部１６１による計時開始時点（時間＝０）では画像データａの入力を規定し、１０分経過時点（時間＝１０分後）では画像データｂの入力を規定している。
【００５９】
図１４は、時間切替モードにおける時間切替処理を示すフローチャートである。時間切替モードの選択がなされる前、陳列棚５０１と人体８０１との距離に応じた切替処理が実行されている。図１１に基づいて説明したようにして時間切替モードの選択が実行されたならば（Ｓ４０１のＹ）、表示制御部１３１は、画像記憶領域１５１に設けられた表示スケジュール記憶領域１５２から表示スケジュールを読み出す（Ｓ４０２）。読み出された表示スケジュールはＲＡＭ１４３に展開される。次に、表示制御部１３１は、タイマ部１６１に計時を開始させて（Ｓ４０３）、画像記憶領域１５１に記憶された画像データを読み出された表示スケジュールに従ってプロジェクタ６０１に入力する（Ｓ４０４）。表示スケジュールに従った画像データの入力は、時間切替モードの選択終了の実行（Ｓ４０５）がなされるまで実行される。時間切替モードの選択終了の実行は、例えば、距離切替モードを選択するためのボタン２４２によって距離切替モードの選択が実行されることによりなされる。
【００６０】
このようにして、プロジェクタ６０１に入力する画像データの切り替えの態様を必要に応じて任意に選択することができる。例えば、店舗がタイムサービスを行う場合には、時間切替モードを選択して、タイムサービスによる安売りをその内容とする画像を時間経過と共に次々にスクリーン５２１に表示させる等、状況に応じたさらにきめ細かい販売促進を行うことが可能となり、店舗の売上増の貢献が期待できる。
【図面の簡単な説明】
【００６１】
【図１】本発明の第１の実施の形態の陳列棚システムを示す斜視図である。
【図２】表示制御装置をブロック図として模式的に付加して陳列棚を概略的に示す断面図である。
【図３】表示制御装置のハードウェア構成を示すブロック図である。
【図４】画像記憶領域のデータ構成を示す模式図である。
【図５】モニタ部の画面表示例を示す模式図である。
【図６】人体と陳列棚との間の距離と時間経過との関係を示すグラフである。
【図７】切替処理の一例を示すフローチャートである。
【図８】切替処理の別の一例を示すフローチャートである。
【図９】切替処理のさらに別の一例を示すフローチャートである。
【図１０】本発明の第２の実施の形態における表示制御装置をブロック図として模式的に付加して陳列棚を概略的に示す断面図である。
【図１１】第２の実施の形態におけるモニタ部の画面表示例を示す模式図である。
【図１２】第２の実施の形態における画像記憶領域のデータ構成を示す模式図である。
【図１３】表示スケジュールのデータ構成の一例を示す模式図である。
【図１４】時間切替モードにおける時間切替処理を示すフローチャートである。
【符号の説明】
【００６２】
１０１…陳列棚システム、１３１…表示制御部（情報処理部）、１５１…画像記憶領域、１５５…切替音記憶領域、２１１…モニタ部（ユーザインターフェース）、２１４…マウス（ユーザインターフェース）、５０１…陳列棚、５２１…スクリーン、５５１…平面鏡（光学系）、５７０…プロジェクタ設置台（プロジェクタ設置部）、５８１…載置部、６０１…プロジェクタ、７０１…センサ、７０２…スピーカ
【図１】
2008200256.tif 000003
【図２】
2008200256.tif 000004
【図３】
2008200256.tif 000005
【図４】
2008200256.tif 000006
【図５】
2008200256.tif 000007
【図６】
2008200256.tif 000008
【図７】
2008200256.tif 000009
【図８】
2008200256.tif 000010
【図９】
2008200256.tif 000011
【図１０】
2008200256.tif 000012
【図１１】
2008200256.tif 000013
【図１２】
2008200256.tif 000014
【図１３】
2008200256.tif 000015
【図１４】
2008200256.tif 000016